(57)【要約】【課題】特別且つ大がかりな装置を必要とすることなくベルトの上に溜まった水を効果的に排水することが可能なベルトコンベアの提供。【解決手段】搬送用のベルト２と、架台７と、ベルト２をその下方からベルトの横断面の中央部が凹陥状となるように支持するキャリアローラ３と、架台７に傾倒可能に取り付けられた可動支持フレーム８と、可動支持フレーム８を傾倒するための変位ローラ下降装置たる駆動機構９とを備えており、可動支持フレーム８の上端にキャリアローラの少なくとも一部３がを回転可能に取り付けられており、可動支持フレーム８が傾倒することにより、上記一部のキャリアローラ３が下方に変位してベルト２の支持を解放するように構成されている。【選択図】図１
2004196453.tif 000002
【特許請求の範囲】
【請求項１】
架台と、
搬送用のベルトと、
該ベルトをその下方から、ベルトの横断面の中央部が凹陥状となるように支持するキャリアローラと、
上記キャリアローラのうちの少なくとも一部である変位ローラを下方に変位させるための変位ローラ下降装置とを備えてなるベルトコンベア。
【請求項２】
上記変位ローラに隣接して、変位ローラが下方に変位したときにベルトの横断面の中央部を相対的に下方から上方に押すための中央押圧部が配設されてなる請求項１記載のベルトコンベア。
【請求項３】
上記変位ローラ下降装置が、上記変位ローラが回転可能に取り付けられる可動支持フレームと、変位ローラが下方に変位するように上記可動支持フレームを駆動する駆動機構とを有してなる請求項１または２記載のベルトコンベア。
【請求項４】
上記可動支持フレームの中間部が上記架台に枢支され、且つ、該枢支点を中心に回動可能に構成されており、
上記駆動機構が、可動支持フレームの上記枢支点を挟んで変位ローラの取付部と反対側に位置する駆動部を押し引きするように構成されてなる請求項３記載のベルトコンベア。
【請求項５】
上記可動支持フレームがベルトの移動方向に沿って間隔をおいて複数個取り付けられており、
上記駆動機構が、可動支持フレームの駆動部同士を連結する連結部材と、該連結部を押し引きする駆動装置とを備えてなる請求項４記載のベルトコンベア。
【請求項６】
上記中央押圧部が可動支持フレームにおける変位ローラ取付部の下方に突設されており、
可動支持フレームが変位ローラを下方に変位させるように傾倒するに伴って上記中央押圧部が上方に変位するように構成されてなる請求項４記載のベルトコンベア。
【請求項７】
上記中央押圧部がベルトの幅方向に延びるローラから構成されてなる請求項２記載のベルトコンベア。
【請求項８】
上記中央押圧部が、ベルトの横断面の中央部に対応する範囲でベルトの幅方向に延びるローラから構成されてなる請求項２記載のベルトコンベア。
【請求項９】
上記中央押圧部を構成するローラが、その長手方向の両端部から中央に向けて外径が漸増するように構成されてなる請求項７記載のベルトコンベア。
【発明の詳細な説明】
【０００１】
【発明の属する技術分野】
本発明はベルトコンベアに関する。さらに詳しくは、その長手方向に移動させられるベルトを備え、このベルト上に積載された対象物を搬送するためのベルトコンベアに関する。
【０００２】
【従来の技術】
屋外に設置されたベルトコンベアはそのベルトの上に雨水が溜まることがある。とくに、ベルトがトラフやキャリアローラによってその横断面の中央部が凹陥状となるように支持されるベルトコンベアではなおさらである。石炭、粘土、石灰石、石膏等、被搬送物によってはこの雨水を吸収することが不都合なものがある。また、ベルトが搬送方向に向けて上方に傾斜しているベルトコンベアであれば、このベルト上に雨水が溜まっていると被搬送物がベルト上で滑ってしまい、効率よく搬送されないおそれもある。
【０００３】
かかる問題を解消するためにベルト上の水を排出する水切り装置が提案されている（たとえば特許文献１参照）。この水切り装置は、ベルトをその上方から下方に向けて押圧するための水切りローラを備えている。水切りローラがベルトを押圧するときには、ベルトの長手方向に配列された多数セットのキャリアローラをベルトの進行方向の上流側および下流側に移動させて水切りローラの下降路近傍から待避させられる。そして、水切りローラによって押圧されたベルトの近傍は下方に押し下げられ、このベルトの両側辺から水がこぼれ出るというものである。
【０００４】
【特許文献１】
特開平９−２０２４２８号公報（段落［００１６］、図２および図３）
【０００５】
【発明が解決しようとする課題】
しかし、この水切り装置ではベルトをその下から支持する多数のキャリアローラをベルトの上流側および下流側に移動させるための装置が必要であり、もちろん、多くのキャリアローラも移動可能に構成する必要がある。さらに、昇降可能な水切りローラを備える必要もある。総じて大がかりな装置となり、設備コストが高くなり、メンテナンス対象も増加する。
【０００６】
本発明はかかる課題を解消するためになされたものであり、特別且つ大がかりな装置を必要とすることなくベルトおよびその上に溜まった水の自重を利用すること等によりベルト上の水を効果的に排水することが可能なベルトコンベアを提供することを目的としている。
【０００７】
【課題を解決するための手段】
本発明のベルトコンベアは、
架台と、搬送用のベルトと、このベルトをその下方から、ベルトの横断面の中央部が凹陥状となるように支持するキャリアローラと、上記キャリアローラのうちの少なくとも一部である変位ローラを下方に変位させるための変位ローラ下降装置とを備えている。
【０００８】
かかるベルトコンベアによれば、変位させられるキャリアローラ、すなわち変位ローラがが下方に変位させられることにより、ベルトのその部分の下方支持が実質的に解放されるため、ベルトはその幅方向に水平となり、また、ベルトの張力が小さいときにはそれだけベルトは下方に下がる。したがって、ベルトを稼働させたときにベルト上に溜まった水はその部分から排出されることになる。
【０００９】
上記変位ローラに隣接して、変位ローラが下方に変位したときにベルトの横断面の中央部を相対的に下方から上方に押すための中央押圧部が配設されてなるベルトコンベアが好ましい。ベルトの幅方向の中央部を下方から押し上げることによってベルト上の水がベルトの両側辺から流出しやすくなるので、排水がさらに効果的になされるからである。
【００１０】
そして、上記変位ローラ下降装置が、上記変位ローラが回転可能に取り付けられる可動支持フレームと、変位ローラが下方に変位するように上記可動支持フレームを駆動する駆動機構とを有してなるベルトコンベアが好ましい。キャリアローラ（変位ローラ）はそれを支持する部材が存在するので、この部材を可動として動かすことにより変位ローラを下降させるのが構造の簡素化が容易となるからである。この可動支持フレームの変位機構は、たとえば、可動支持フレームを架台に対して上下動するように案内レールや昇降装置を設けたり、後述するように、可動支持フレームを架台に対して傾倒しうるように取り付けることによって達成できる。
【００１１】
上記可動支持フレームの中間部が上記架台に枢支され、且つ、この枢支点を中心に回動可能に構成されており、上記駆動機構が、可動支持フレームの上記枢支点を挟んで変位ローラの取付部と反対側に位置する駆動部を押し引きするように構成されてなるベルトコンベアが好ましい。可動支持フレームの駆動部を押し引きすることによってその枢支点の反対側の変位ローラが回動するので、簡易な構造によって変位ローラの上下変位を実現することができるからである。
【００１２】
上記可動支持フレームがベルトの移動方向に沿って間隔をおいて複数個取り付けられており、上記駆動機構が、可動支持フレームの駆動部同士を連結する連結部材と、この連結部を押し引きする駆動装置とを備えてなるベルトコンベアが好ましい。ベルトの移動方向に沿う複数の変位ローラを下降させることにより、ベルトの長手方向の広い範囲についてその幅方向を水平としたりベルトを下方に下げることができるので、排水が迅速且つ効率的になされるからである。
【００１３】
上記中央押圧部が可動支持フレームにおける変位ローラ取付部の下方に突設されており、可動支持フレームが変位ローラを下方に変位させるように傾倒するに伴って上記中央押圧部が上方に変位するように構成されてなるベルトコンベアが好ましい。変位ローラの変位と連動して積極的に中央押圧部を上方に変位させてベルトの中央部を押し上げることができ、しかもかかる作用を簡易な構成によって奏することができるからである。
【００１４】
また、上記中央押圧部をベルトの幅方向に延びるローラから構成することができる。この場合、ベルトを進行させながらでもスムーズに排水することができる。
【００１５】
または、上記中央押圧部を、ベルトの横断面の中央部に対応する範囲でベルトの幅方向に延びるローラから構成することもできる。この場合、ベルトの幅方向の両側辺部が中央部より下がるので効果的な排水が可能となる。
【００１６】
上記中央押圧部を構成するローラとして、その長手方向の両端部から中央に向けて外径が漸増した形状のものとすることができる。この場合も、ベルトの幅方向の両側辺部が中央部より下がるので効果的な排水が可能となる。
【００１７】
【発明の実施の形態】
添付図面を参照しながら本発明のベルトコンベアの実施形態を説明する。
【００１８】
図１は本発明のベルトコンベアの一実施形態の主要部を示す正面図である。図２は図１のベルトコンベア上の水を排水するときの状態を示す要部正面図である。図３は図１および図２におけるキャリアローラとベルトの状態を示す側面図である。
【００１９】
図１〜３に示すベルトコンベア１は無端ベルト２のフォワード側を下から支持する複数のキャリアローラ３を備えている。また、ベルト２にはその上流端と下流端とのエンドプーリ（図示しない）やテンションプーリ（図示しない）によって張力が加えられている。図中、符号２ａで示すのはリターン側のベルトである。キャリアローラ３は図３に示すように一個の中ローラ４とその両側に上方に傾斜して配置された一対のサイドローラ５とから構成されている。これらのローラ４、５によってベルト２は図示のごとくその幅方向の中央部が凹陥状となるように下から支持される。各ローラ４、５は支持部材６の上端に回転可能に取り付けられている。この支持部材６はベルト２の両側に上下方向に延びるように架台７に取り付けられている。複数の支持部材６はベルト２の長手方向に所定間隔をおいて配置されている。図中の矢印Ｆはフォワード側ベルト２の進行方向を示している。
【００２０】
複数の支持部材６の一部（本実施形態では二つ）は架台７に回動可能に枢支されている。この回動可能な支持部材を可動支持フレーム８と呼び、可動支持フレーム８以外の支持部材６を固定支持部材６と呼ぶ。可動支持フレーム８は固定支持部材６とは架台７への取付方法、および、下端部の構造が異なる。固定支持部材６は架台７に固定されているが、可動支持フレーム８は直立状態からベルト２の長手方向に傾倒可能に架台７に枢支されている。また、可動支持フレーム８の下端には可動支持フレーム８を傾倒させるための駆動機構９が連結されている。可動支持フレーム８の上端に取り付けられているキャリアローラ３が変位ローラといえる。また、上記可動支持フレーム８と駆動機構９とは変位ローラ下降装置と呼べる。
【００２１】
駆動機構９は、可動支持フレーム８の下端同士を回動可能に連結する連結棒１０と、この連結棒１０の端部にそのロッド１１ａの先端が連結された駆動シリンダ１１とを備えている。連結棒１０が回動可能に連結される可動支持フレーム８の部分が可動支持フレーム８の駆動部といえる。駆動シリンダ１１は保持台１２に揺動可能に取り付けられている。そして、駆動シリンダ１１がロッド１１ａを伸長することにより可動支持フレーム８が直立状態となってキャリアローラ３がベルト２を下から支持する（図１）。また、駆動シリンダ１１がロッド１１ａを縮短することによって可動支持フレーム８が枢支点Ｐを支点として傾倒し（図２）、その結果キャリアローラ３は下降してベルト２の支持を解放する。これにより、図３に二点鎖線で示すように、ベルト２の両側辺部はサイドローラ５の支持が無くなるのでベルト２は張力によってその幅方向の形状が凹陥状から水平の状態に変化する。また、ベルト２のこの部分はその自重や水の重さによってその上流側や下流側の部分に比べて下方に下がる。そして、ベルト上の水はベルト２の両側辺から下方にこぼれる。このようにして水切り（排水）がなされる。この構成によれば、水やベルトの自重によって水切りがなされるので、水切り機構（排水機構）の構成が簡素化される。
【００２２】
なお、駆動機構は駆動シリンダに限ることはなく、他の公知の駆動装置を用いてもよい。また、可動支持フレーム８は図２に示すように図中左へ傾倒するようにされているが、これに限定されることはない。たとえば、ベルトの進行方向が図中右から左であれば右方向にのみ傾倒するようにしてもよい。これは、可動支持フレーム８もベルトの進行に伴う横方向の荷重を支持する必要があるからである。
【００２３】
架台７には、可動支持フレーム８に対してその傾倒方向とは反対の側の位置であって直立状態の可動支持フレーム８に近接した位置にストッパ１３が固定されている。このストッパ１３はいわゆるＬ字鋼等から形成されており、架台７の上面に固定されている。ストッパ１３は、駆動シリンダが可動支持フレーム８をその傾倒状態から直立状態に戻したとき、可動支持フレーム８に当接することによって直立位置に位置決めするものである。ストッパ１３はさらに、ベルト２の稼働中にベルト２によって可動支持フレーム８に作用するベルト進行方向の荷重を支持する作用も奏する。
【００２４】
上記実施形態では二つの可動支持フレーム８を連続して配置しているが、可動支持フレーム８の個数は限定されない。可動支持フレームは必要に応じて一つであってもよい。ベルトの張力が大きい場合には可動ローラを多くすることによりベルト２が下がりやすくなるので、そのときには三つ以上の可動支持フレーム８を設けてもよい。さらに、ベルトコンベア１全体の中に可動支持フレームを一カ所にのみ連続して集めて配置するのではなく、必要であれば固定支持部材６の間に複数箇所に分けて配置し、ベルトの長手方向における複数箇所から排水するようにしてもよい。しかし、ベルトを進行させながら排水する場合にはベルト上の水が可動支持フレーム８の位置まで搬送されるため、可動支持フレーム８の設置部位は一カ所でよく、この方が低コストとなるので好ましい。
【００２５】
また、上記実施形態では可動支持フレーム８を傾倒することによって変位ローラを下方に移動させる構成であるが、かかる構成には限定されない。たとえば、可動支持フレームを上下方向に向けた駆動シリンダ等によって上下動可能に構成し、架台７にはこの可動支持フレームの上下動を案内するガイドレールを取り付けたものであってもよい。かかる構成により、可動支持フレームを下降させて変位ローラのベルト支持を解放することができる。このとき、変位ローラがベルトを支持する位置まで可動支持フレームを上昇させたうえでこの可動支持フレームをその位置に保持するように、その下方に係脱可能なストッパを設けてもよい。
【００２６】
図４〜図８には他の実施形態にかかるベルトコンベア２１が示されている。図４はベルトコンベア２１の主要部を示す正面図である。図５はベルトコンベア２１上の水を排水するときの状態を示す要部正面図である。図６は図４のＩＶ−ＩＶ線矢視図であり、図７は図５のＩＩＶ−ＩＩＶ線断面図である。
【００２７】
このベルトコンベア２１は、そのベルト２が幅方向の中央部が凹陥状となるようにキャリアローラ２３によって下から支持されているが（図６参照）、後述するように上記可動支持フレーム８（図１から図３）とは異なる構造の可動支持フレーム２２を備えている。このキャリアローラ２３も前述のキャリアローラ３（図３）と同様に、一個の中ローラ３０とその両側に上方に傾斜して配置された一対のサイドローラ３１とから構成されている（図６および図７参照）。
【００２８】
図４および図５に示すように、このベルトコンベア２１には四つの可動支持フレーム２２が備えられているが、もちろん、この個数に限定されない。可動支持フレーム２２は図１のもの８と同様に架台２５に傾倒可能に枢支されており、固定支持部材２４は架台２５に固定されている。また、可動支持フレーム２２は駆動シリンダ１１を用いた駆動機構２６によって傾倒させられる。
【００２９】
駆動機構２６は、可動支持フレーム２２の下端同士を回動可能に連結する連結棒２７と、この連結棒２７の端部にそのロッド１１ａの先端が連結された駆動シリンダ１１とからなる。そして、駆動シリンダ１１がロッド１１ａを伸長することにより可動支持フレーム２２が直立状態となってキャリアローラ２３がベルト２を下から支持する（図４および図６）。また、駆動シリンダ１１がロッド１１ａを縮短することによって可動支持フレーム２２が枢支点Ｐを支点として傾倒し（図５）、その結果キャリアローラ３は下降してベルト２の支持を解放する（図７）。以上の点は図１の可動支持フレーム８および駆動機構９と同様の構成である。
【００３０】
しかし、駆動シリンダ１１は架台２５に取り付けられているが、とくに揺動可能に取り付ける必要はない。なぜなら、可動支持フレーム２２の下端には連結棒２７と連結するために、その長手方向に長孔２８が形成されており、各長孔２８に連結棒の連結ピン２９が係合した構造を採用しているからである。この構造により、駆動シリンダ１１のロッド１１ａを伸縮したときに、可動支持フレーム２２は傾倒するが、連結棒２７は上下動する必要はなく連結ピン２９が長孔２８内を移動するだけとなる。したがって、駆動シリンダ１１は揺動可能に取り付ける必要はない。上記連結ピン２９が係合する長孔２８が可動支持フレーム２２の駆動部といえる。もちろん、図１および図２に示す構造の駆動機構９を用いてもよい。さらに、図１および図２の駆動機構としてこの図４および図５に示す構造２６を採用してもよい。
【００３１】
このベルトコンベア２１の可動支持フレーム２２は図１および図２の可動支持フレーム８と構造が異なっている。図８も併せて参照すれば明らかなように、この可動支持フレーム２２は、中ローラ３０および一対のサイドローラ３１の他に、ベルト２の幅方向の中央部を下から押圧する中央押圧ローラ３２が取り付けられている。この可動支持フレーム２２は、ベルト２の両側にそれぞれ配置されて架台２５に枢支された縦枠部材３３と、縦枠部材３３の枢支点Ｐより上方に両縦枠部材３３に渡された支持梁３４と、この支持梁３４に上方に向けて突設された一対の第一ブラケット３５とを有している。両第一ブラケット３５間に中ローラ３０が回転自在に取り付けられており、各第一ブラケット３５と各縦枠部材３３の上端との間にサイドローラ３１が回転自在に取り付けられている。そして、上記支持梁３４に、中ローラ３０とサイドローラ３１とが形成する面にほぼ垂直な方向に一対の第二ブラケット３６が突設されている。この第二ブラケット３６は、支持梁３４における、可動支持フレーム２２の傾倒方向とは反対側（図４中の右側）の面に突設されている。そして、一対の第二ブラケット３６間に上記中央押圧ローラ３２が回転自在に取り付けられている。中央押圧ローラ３２の長さは上記中ローラ３０の長さとほぼ同じにされている。
【００３２】
かかる構成の可動支持フレーム２２が、変位ローラ２３が下降するように傾倒したときには、上記中央押圧ローラ３２は逆に上方に変位することになる（図５および図７参照）。その結果、変位ローラ２３の支持が解放されて幅方向水平になり且つ重力によって下降してきたベルト２は、この中央押圧ローラ３２によってその中央部が上方に向けて押圧される。したがって、ベルト２のこの部分の幅方向を見れば、中央よりも両側辺部が少なくとも低くなるので、ベルト上の水は効果的に両側辺から排水されることになる。なお、図４および図５中の符号３７は、駆動シリンダのロッド１１ａに取り付けられた保護用のべローズである。
【００３３】
本実施形態では中央押圧ローラ３２は中ローラ３０とほぼ同じ長さにされているが、かかる構成に限定されない。たとえば、平面視で両サイドローラ３１の端部間距離、すなわち、ベルトの幅寸法程度にしてもよい。この場合、中央押圧ローラ３２の両端部から中央に向けて外径が漸増する形状、つまり、クラウンが施された形状、太鼓胴状の形状にするのが好ましい。こうすることにより、中央押圧ローラ３２によって押圧されたベルト２は、幅方向の中央よりも両側辺部が低くなるので、ベルト上の水は効果的に両側辺から排水されることになる。
【００３４】
本実施形態では、中央押圧ローラ３２は中ローラ３０とサイドローラ３１とが形成する面にほぼ垂直、つまり、図示の形態では可動支持フレーム２２の縦枠部材３３に垂直に突設しているが、特に垂直には限定されない。垂直から少々傾斜していてもよい。要するに、可動支持フレーム２２が傾倒して変位ローラがベルトの支持を解放したときに中央押圧ローラがベルトの中央部を押し上げるように構成されておればよい。
【００３５】
また、傾倒可能に構成された上記可動支持フレーム２２に代えて、前述したような上下方向に敷設されたガイドレール上を駆動シリンダ等によって上下動可能に構成した可動支持フレームを採用してもよい。この場合、この昇降可能な可動支持フレームに隣接して中央押圧部材を架台に固設しておけばよい。そして、この中央押圧部材の上端は上昇位置にある中ローラとほぼ同じ高さ位置に設定しておく。そうすれば、可動支持フレームを下降させて変位ローラによるベルト支持を解放しても、この中央押圧部材の上端がベルトの幅方向中央部を相対的に押し上げることになる。
【００３６】
【発明の効果】
本発明のベルトコンベアによれば、特別且つ大がかりな装置を必要とすることなくベルトおよびその上に溜まった水の自重を利用すること等によりベルト上の水を効果的に排水することが可能となる。
【図面の簡単な説明】
【図１】本発明のベルトコンベアの一実施形態の主要部を示す正面図である。
【図２】図１のベルトコンベア上の水を排水するときの状態を示す要部正面図である。
【図３】図１および図２におけるキャリアローラとベルトの状態を示す側面図である。
【図４】本発明のベルトコンベアの他の実施形態の主要部を示す正面図である。
【図５】図４のベルトコンベア上の水を排水するときの状態を示す要部正面図である。
【図６】図４のＩＶ−ＩＶ線矢視図である。
【図７】図５のＩＩＶ−ＩＩＶ線断面図である。
【図８】図４のベルトコンベアにおける可動支持フレームを示す斜視図である。
【符号の説明】
１    ベルトコンベア
２    ベルト
３    キャリアローラ
４    中ローラ
５    サイドローラ
６    支持部材
７    架台
８    可動支持フレーム
９    駆動機構
１０    連結棒
１１    駆動シリンダ
１２    保持台
１３    ストッパ
２１    ベルトコンベア
２２    可動支持フレーム
２３    キャリアローラ
２４    固定支持部材
２５    架台
２６    駆動機構
２７    連結棒
２８    長孔
２９    連結ピン
３０    中ローラ
３１    サイドローラ
３２    中央押圧ローラ
３３    縦枠部材
３４    支持梁
３５    第一ブラケット
３６    第二ブラケット
３７    べローズ
Ｐ    枢支点
【図１】
2004196453.tif 000003
【図２】
2004196453.tif 000004
【図３】
2004196453.tif 000005
【図４】
2004196453.tif 000006
【図５】
2004196453.tif 000007
【図６】
2004196453.tif 000008
【図７】
2004196453.tif 000009
【図８】
2004196453.tif 000010